(57)【特許請求の範囲】
【請求項１】
同一方向に積み重ねられた複数個のティシュカートンを収容しているティシュカートン包装袋において、
実質的に前記ティシュカートンの積み重ね方向に沿った２本の裂開用縦ミシン目が前記包装袋における広側面部の一方に短間隔をおいて形成され、これら裂開用縦ミシン目は前記広側面部の上端辺近傍から下端辺近傍まで延在しているとともに、
これら裂開用縦ミシン目の上端にそれぞれ端を発し、前記一広側面部における近いがわの両上角部までそれぞれ延在する２本の、および前記両上端部を結ぶ１本の、裂開用横ミシン目が形成され、
これら裂開用ミシン目は、全体としてＹ字形状とされており、
前記包装袋に収容されているティシュカートンを取り出す分だけ前記裂開用ミシン目を裂開して取出口が形成される
ことを特徴とするティシュカートン包装袋。
【請求項２】
同一方向に積み重ねられた複数個のティシュカートンを収容しているティシュカートン包装袋において、
実質的に前記ティシュカートンの積み重ね方向に沿った２本の裂開用縦ミシン目が前記包装袋における広側面部の一方に短間隔をおいて形成され、これら裂開用縦ミシン目は前記広側面部の上端辺近傍から下端辺近傍まで延在しているとともに、
これら裂開用縦ミシン目の上端部を通って前記ティシュカートン包装袋の前記ティシュカートンの積み重ね方向の稜部に至る１本の裂開用横ミシン目が形成され、
これら裂開用ミシン目は、全体としてＴ字形状とされており、
前記包装袋に収容されているティシュカートンを取り出す分だけ前記裂開用ミシン目を裂開して取出口が形成される
ことを特徴とするティシュカートン包装袋。
【請求項３】
開封片となる部分における上端部に、摘み用フィルムが取り付けられている請求項１〜２記載のティシュカートン包装袋。
【請求項４】
同一方向に積み重ねられた複数個のティシュカートンを収容しているティシュカートン包装袋において、
実質的に前記ティシュカートンの積み重ね方向に沿った１本の裂開用縦ミシン目が前記包装袋における広側面部の一方に形成され、この裂開用縦ミシン目は前記広側面部の上端辺近傍から下端辺近傍まで延在しているとともに、
この裂開用縦ミシン目の上端に端を発し、前記一広側面部における両上角部まで延在する２本の裂開用横ミシン目が形成され、
これら裂開用ミシン目は、全体としてＹ字形状とされており、
前記包装袋に収容されているティシュカートンを取り出す分だけ前記裂開用ミシン目を裂開して取出口が形成される
ことを特徴とするティシュカートン包装袋。
【請求項５】
同一方向に積み重ねられた複数個のティシュカートンを収容しているティシュカートン包装袋において、
実質的に前記ティシュカートンの積み重ね方向に沿った１本の裂開用縦ミシン目が前記包装袋における広側面部の一方に形成され、この裂開用縦ミシン目は前記広側面部の上端辺近傍から下端辺近傍まで延在しているとともに、
これら裂開用縦ミシン目の上端部を通って前記ティシュカートン包装袋の前記ティシュカートンの積み重ね方向の稜部に至る１本の裂開用横ミシン目が形成され、
これら裂開用ミシン目は、全体としてＴ字形状とされており、
前記包装袋に収容されているティシュカートンを取り出す分だけ前記裂開用ミシン目を裂開して取出口が形成される
ことを特徴とするティシュカートン包装袋。
【発明の詳細な説明】
【０００１】
【産業上の利用分野】
本発明は、持ち運びが便利となるように複数個のティシュカートンを一纏めに包装する包装袋に係り、特に収容されているティシュカートンを１個づつ容易に取り出すことができるとともに、ティシュカートンを取り出した後の包装袋の体裁を損なうことがないようにしたティシュカートン包装袋に関する。また、そのようなティシュカートン包装袋にミシン目を形成する方法、およびそのための装置に関する。
【０００２】
【従来の技術】
近年、複数のティシュカートンを一纏めにして、消費者に対して一度に販売することが多くなった。この場合、一般的には、図１１に示すように、複数個、たとえば５個のティシュカートンＴ１〜Ｔ５を同一方向に積み重ねて、たとえば透明のフィルムからなる包装袋５１によって包装し、持ち運びに便利なように上面５１Ａに把手フィルム５２を形成し販売に供されることが多い。この把手フィルム５２は、包装袋の上面５１Ａを挟んで対向する側面それぞれに、ヒートシール加工５３，５３（裏面側は図示せず）によって取り付けられて、包装袋５１の上面に形成されている。なお、前記積み重ねられた複数個のティシュカートンは、キャラメル包装、もしくはシュリンク包装によって、またはこれらの包装を組み合わせて包装袋により完全に包まれている。
【０００３】
【発明が解決しようとする課題】
ところで、従来は、上記のような包装袋からティシュカートンを取り出すための取出口のようなものを設けることはなかった。このため、包装袋からティシュカートンを取り出すには、使用者自らが包装袋の一部、たとえば側面や上面を手で引き裂くか、あるいは刃物等を用いて切り裂き、ティシュカートンを取り出すための取出口を形成する必要があった。
【０００４】
しかし、使用者が包装袋の一部を引き裂いて取出口を形成するとしても、簡単には引き裂き難く、容易にティシュカートンを取り出すことができなかった。しかも引き裂いた部分の体裁が悪くなるなどの問題もあった。通常、使用者は必要なだけのティシュカートンを取り出した後、残りのティシュカートンはこの包装袋に入れたまま保管するが、上記従来の包装袋では引き裂き部分の体裁が悪く残っているため、未使用のティシュカートンを保管しておくのに見栄えの悪いものとなっていた。
【０００５】
ここでキャラメル包装の場合には、上面の貼り合わせ部分を剥がしてティシュカートンを取り出すことも可能であるが、この場合には、ティシュカートンを取り出す際にティシュカートンの角部が包装袋に引っ掛かり取り出し難いとともに、包装袋を切り裂いてしまうことが多く、やはり包装袋の体裁が悪くなる。しかも、把手フィルムが取り付けられている場合には、この把手フィルムを取り外す必要があるため、その後の持ち運びに非常に不便なものとなる。
【０００６】
一方、刃物で切り裂く場合は、刃物を別途用意する必要があるため、手間がかかるとともに、包装袋を切り裂く際、一緒にティシュカートンをも切り付け、ティシュカートンを傷つけてしまうおそれがある。
【０００７】
このような問題に対して、本出願人は、先の特願平６−239790号において、包装袋に収容されているティシュカートンの取出口を形成するための裂開用ミシン目を形成したティシュカートン包装袋を開示している。
【０００８】
しかし、このティシュカートン包装袋は、図１０に示すように、一広側面部に、若干の間隔、具体的には、たとえば約１１５mmの間隔をおいて２本の裂開用縦ミシン目４１，４２を形成し、その２本の裂開用縦ミシン目４１，４２の上端同士を繋ぐアーチ状の裂開用横ミシン目４３を形成し、総じて開封片が幅広となるような裂開用ミシン目を形成した構成とされている。このため、裂開用ミシン目を裂開して取出口を形成し、最上段のティシュカートンＴ１を取り出そうとしても、ティシュカートンＴ１の角部が包装袋に引っ掛かってしまうので、最上段のティシュカートンＴ１をスムーズに取り出すためには、裂開用ミシン目が形成されていない包装袋の角部分を引き広げる必要があった。
【０００９】
また、アーチ部分の長さが長く設定されているため、破袋強度が弱く、そのため転落等の衝撃によって容易にミシン目が裂けてしまうという問題があった。この問題は、アーチ部分のミシン目のカット幅を短くして、その強度を高めること等によって対処することはできるが、アーチ部分は、通常裂開開始部分となるため、強度を大きくし過ぎるのは好ましくない。この問題は摘み用フィルムを取り付ける際、特に顕著となる。
【００１０】
他方、このような裂開用ミシン目は、ティシュカートンを収容した状態の包装袋に表面から直接熱カット刃や小刀を押し付けることによって形成していた。このため、ティシュカートンの表面の印刷を熱によって変色させてしまったり、あるいはティシュカートンを切り付けて、傷つけてしまうことがあった。また、このような問題を回避するためには、包装袋素材にミシン目を形成してからティシュカートンを収容することも考えられるが、この場合には、ティシュカートンを収容する際に、ミシン目が形成されている位置を合わせるのが困難となるとともに、材質によってはミシン目が裂けやすく、包装する以前にミシン目が裂けてしまうという問題もあった。
【００１１】
そこで、本発明の課題は、刃物等を用いず、しかも不体裁な引き裂き部分を残すことなく包装袋に収容されているティシュカートンを容易に取り出せるように、特に、最上段に収容されているティシュカートンを、裂開用ミシン目が形成されていない部分を引き広げることなく、取り出すことができ、しかも破袋強度に優れたティシュカートン包装袋を提供することにある。
【００１２】
また、他の課題としては、ティシュカートンを傷つけることなく、包装袋における所望の位置にミシン目を確実に形成することにある。
【００１３】
【課題を解決するための手段】
上記課題を解決するための本発明は、同一方向に積み重ねられた複数個のティシュカートンを収容しているティシュカートン包装袋において、
実質的に前記ティシュカートンの積み重ね方向に沿った２本の裂開用縦ミシン目が前記包装袋における広側面部の一方に短間隔をおいて形成され、これら裂開用縦ミシン目は前記広側面部の上端辺近傍から下端辺近傍まで延在しているとともに、
これら裂開用縦ミシン目の上端にそれぞれ端を発し、前記一広側面部における近いがわの両上角部までそれぞれ延在する２本の、および前記両上端部を結ぶ１本の、裂開用横ミシン目が形成され、
これら裂開用ミシン目は、全体としてＹ字形状とされており、
前記包装袋に収容されているティシュカートンを取り出す分だけ前記裂開用ミシン目を裂開して取出口が形成される
ことを特徴とするティシュカートン包装袋である。
【００１４】
また、同一方向に積み重ねられた複数個のティシュカートンを収容しているティシュカートン包装袋において、
実質的に前記ティシュカートンの積み重ね方向に沿った２本の裂開用縦ミシン目が前記包装袋における広側面部の一方に短間隔をおいて形成され、これら裂開用縦ミシン目は前記広側面部の上端辺近傍から下端辺近傍まで延在しているとともに、
これら裂開用縦ミシン目の上端部を通って前記ティシュカートン包装袋の前記ティシュカートンの積み重ね方向の稜部に至る１本の裂開用横ミシン目が形成され、
これら裂開用ミシン目は、全体としてＴ字形状とされており、
前記包装袋に収容されているティシュカートンを取り出す分だけ前記裂開用ミシン目を裂開して取出口が形成される
ことを特徴とするティシュカートン包装袋である。
【００１５】
これらの場合において、開封片となる部分における上端部に、摘み用フィルムが取り付けられているのが望ましい。
【００１６】
また、同一方向に積み重ねられた複数個のティシュカートンを収容しているティシュカートン包装袋において、
実質的に前記ティシュカートンの積み重ね方向に沿った１本の裂開用縦ミシン目が前記包装袋における広側面部の一方に形成され、この裂開用縦ミシン目は前記広側面部の上端辺近傍から下端辺近傍まで延在しているとともに、
この裂開用縦ミシン目の上端に端を発し、前記一広側面部における両上角部まで延在する２本の裂開用横ミシン目が形成され、
これら裂開用ミシン目は、全体としてＹ字形状とされており、
前記包装袋に収容されているティシュカートンを取り出す分だけ前記裂開用ミシン目を裂開して取出口が形成される
ことを特徴とするティシュカートン包装袋である。
【００１７】
また、同一方向に積み重ねられた複数個のティシュカートンを収容しているティシュカートン包装袋において、
実質的に前記ティシュカートンの積み重ね方向に沿った１本の裂開用縦ミシン目が前記包装袋における広側面部の一方に形成され、この裂開用縦ミシン目は前記広側面部の上端辺近傍から下端辺近傍まで延在しているとともに、
これら裂開用縦ミシン目の上端部を通って前記ティシュカートン包装袋の前記ティシュカートンの積み重ね方向の稜部に至る１本の裂開用横ミシン目が形成され、
これら裂開用ミシン目は、全体としてＴ字形状とされており、
前記包装袋に収容されているティシュカートンを取り出す分だけ前記裂開用ミシン目を裂開して取出口が形成される
ことを特徴とするティシュカートン包装袋である。
【００１８】
【作用】
本発明に係るティシュカートン包装袋においては、ティシュカートン包装袋内に収容されているティシュカートンの取出口を形成するための裂開用ミシン目が形成されている。この裂開用ミシン目は使用者の手によって容易に裂開することができるため、ティシュカートンの取出口を形成して、収容されているティシュカートンを容易に一個づつ取り出すことができる。
【００１９】
また、本発明においては、縦ミシン目を１本とするか、あるいは２本とした場合であってもその間隔を短いものとされているため、破袋強度に優れたものとなっている。
【００２０】
さらには、包装袋内に収容されているティシュカートン、特に最上段に収容されているティシュカートンを取りやすくするように、横ミシン目を包装袋広側面部における上角部にまで延在させ、裂開用ミシン目全体としてＹ字形状、あるいはＴ字形状となるようにされている。このため、裂開によって形成される取出口が包装袋の角部にまで及ぶので、最上段のティシュカートンを取り出す際にも、包装袋の角部を引き広げる必要はなくなる。
【００２１】
他方、本発明においては、包装袋におけるミシン目形成部分を吸着して、ティシュカートンとの接触状態から解放して、ミシン目を形成することができる。したがって、ミシン目を形成する際に、包装袋とティシュカートンとは接触していないため、包装袋にミシン目を形成するときにもティシュカートンを傷つけることはなくなる。また、ティシュカートンを包装した後にミシン目を形成しているので、包装袋における所望の位置に確実にミシン目を形成することができる。
【００２２】
【実施例】
以下、本発明を実施例により、具体的に説明する。
図１は、本発明に係るティシュカートン包装袋の例を示す斜視図である。ここでは、包装用透明フィルムを通して見える部分を仮想線（一点鎖線）にて示している。包装袋１によって５個のティシュカートンＴ１〜Ｔ５が包装されており、最上段のティシュカートンＴ１の上面側に、人が持ち運ぶときの把手となる把手フィルム２が設けられている。この把手フィルム２は、包装袋の上面１Ａを挟んで対向する側面１Ｃ，１Ｄのそれぞれに、ヒートシール加工３，３（１Ｄ側は図示せず）によって取り付けられている。また、包装袋１はティシュカートンＴ１の上面側および最下段のティシュカートンＴ５の下面において、対向する狭側面１Ｃと１Ｄ、および広側面１Ｅと１Ｆが共に貼り合わされて袋状に成形された、いわゆるキャラメル包装とされている。
【００２３】
本発明では、かかる包装袋１における広側面１Ｅに、取出口を形成するためのミシン目が形成されている。このミシン目は、広側面１Ｅの上端辺近傍から下端辺近傍まで延在するように、ティシュカートンＴ１〜Ｔ５の積み重ね方向に沿って形成された２本の裂開用縦ミシン目１１Ａ，１１Ｂ（以下、単に縦ミシン目という。）と、縦ミシン目１１Ａの上端と包装袋１の左上角部１ａとを繋ぐ裂開用横ミシン目（以下、単に横ミシン目という。）１２Ａと、縦ミシン目１１Ｂの上端と包装袋１の右上角部１ｂとを繋ぐ横ミシン目１２Ｂと、縦ミシン目１１Ａの上端と縦ミシン目１１Ｂの上端とを繋ぐ横ミシン目１２Ｃと、により、全体としてＹ字形状として構成されている。ミシン目１２Ｃと縦ミシン目１１Ａ，１１Ｂの一部とを裂開すると、図２に示すように、開封片１３が包装袋１本体から剥がれてティシュカートンの取出口Ｈが形成される。また、縦ミシン目１１Ａ，１１Ｂ間の横幅は、狭幅、具体的には、おおよそ３０mm程度とされている。この取出口Ｈは、縦および横ミシン目１１，１２に沿って開封片１３を裂開することのみで容易に形成されるため、包装袋１に不体裁な部分を残すことはない。
【００２４】
ところで、この横ミシン目１２Ｃ部分の引き裂きを容易にするために、開封片１３の上端部に、ヒートシール加工４Ａによって、摘みフィルム４が取り付けられている。ティシュカートンの取り出しに際しては、この摘みフィルム４を摘んで引っ張れば、横ミシン目１２Ｃが容易に裂開し、続いて縦ミシン目１１Ａ，１１Ｂの裂開を容易に開始することができる。さらには、摘みフィルム４の先端４Ｂにおける包装袋１側には、再接着可能な粘着剤を塗布しておけば、後に示すように、ティシュカートンの一部を取り出した後、再び開封片１３を封鎖することにより埃などが侵入するのを防止した状態でティシュカートンを保管することができる。
【００２５】
かくして裂開を開始しても、この状態ではまだ取出口Ｈの面積が小さいため、ティシュカートンＴ１を取り出すことはできない。そこで、縦ミシン目１１Ａ，１１ＢをほぼティシュカートンＴ１の高さ分まで裂開した後、横ミシン目１２Ａ，１２Ｂを裂開する。これらの横ミシン目１２Ａ，１２Ｂは、既に形成されている取出口Ｈから指等を挿入することによって、容易に裂開することができる。横ミシン目１２Ａ，１２Ｂが裂開したならば、図３に示すように、取出口Ｈの面積が広がるので、ティシュカートンＴ１を取出口Ｈから容易に取り出すことができるようになる。
【００２６】
そしてティシュカートンＴ１を取り出した後は、たとえば図４に示すように、包装袋１における取り出されたティシュカートンＴ１が収容されていた部分を折り畳み、その上に開封片１３を乗せ、摘みフィルム４の先端４Ｂを包装袋の上面１Ａに貼着すれば、包装袋１の体裁を損なうことなく、ティシュカートンＴ２〜Ｔ５を保管することができる。しかも、把手フィルム２はティシュカートンＴ１を収容していた時と同様の状態とされているため、把手フィルム２を持って包装袋１を運ぶことも可能である。
【００２７】
その後、縦ミシン目１１Ａ，１１Ｂを裂開することにより、ティシュカートンＴ２，Ｔ３…をも容易に取り出すことができる。また、それらティシュカートンＴ２，Ｔ３…を取り出した後も、同様の処置を施すことにより、包装袋１に体裁の悪い引き裂き部分を残すことなく、残りのティシュカートンを保管することができる。
【００２８】
ところで、図１に示した本実施例に係る包装袋においては、縦ミシン目の間隔が３０mm程度とされている。これに対して、上記図１０に示した包装袋においては、広側面部に若干の距離、具体的には約１１５mmの間隔をおいて縦ミシン目を形成している。両者を比較すると、本発明に係る包装袋の方が、ミシン目の強度が高く、搬送時等における不意の裂開が起こることは少ないことを、次の実験によって本発明者等は確認した。
【００２９】
図１に示されるミシン目の形成されたティシュカートン包装袋１と図１０に示されるティシュカートン包装袋とを用い、底部および上面部から落下させてそれぞれの包装袋の破れ状態を観察した。その結果、図１０に示すティシュカートン包装袋の場合、１．０〜１．５ｍの高さから落下させたときに縦ミシン目が裂けたのに対して、本発明例の場合は、１．５ｍの高さから落下させた場合にもミシン目が裂けることはなかった。また、上面部から落下させたときには、図１０に示すティシュカートン包装袋の場合、１．０ｍの高さから落下させたときに横ミシン目が裂けたのに対して、本発明例の場合は、１．５ｍの高さから落下させた場合にもミシン目が裂けることはなかった。
【００３０】
以上、本実施例においては、ミシン目を全体としてＹ字形状に形成したが、図５に示すようにＴ字形状に形成してもよい。この場合、横ミシン目１２Ｂは稜部上に形成することもできるが、それだと強度が劣り、裂開の問題があるため、稜部から若干ずらして形成するのが望ましい。但し、稜部からの距離が離れ過ぎると最上部のティシュカートンを取出にくくなることが考えられるため、稜部との距離を５〜１０mm程度とするのが好ましい。また、図６、図７に示すように、縦ミシン目を１本とすることもできる。さらに、上記実施例においては、キャラメル包装の包装袋の例について説明したが、本発明はシュリンク包装の包装袋、およびそれら両方を用いた包装袋にも適用できることはいうまでもない。
【００３１】
他方において、ティシュカートン包装袋にミシン目を形成するために好適な方法およびそのための装置を以下に説明する。
【００３２】
図８は、ティシュカートンを包装し終えた状態にあるティシュカートン包装袋１をコンベアベルト２１によって搬送している状態を示す概念図である。コンベアベルト２１の上方には、ティシュカートン包装袋１を押さえる押さえロール２２，２２…と、バキューム付きの熱カットダイカッター２３がそれぞれ配設されている。
【００３３】
包装された状態にあるティシュカートン包装袋１は、裂開用ミシン目を形成する面（図１についていえば広側面１Ｅ）を上向きとし、押さえロール２２によって押さえられながら搬送に供されている。そして、ダイカッター２３の部分に到達すると、バキューム効果によって、包装袋１におけるミシン目形成部分が吸い上げられる。一方、ダイカッター２３には、包装袋１に所定形状のミシン目を付与すべく、図９に示すような熱カット刃２３Ａが形成されている。包装袋１がコンベアベルト２１によって搬送されるとともに、このダイカッター２３が回転し、この回転に伴って順次ミシン目が形成される。このとき、包装袋１におけるミシン目形成面１Ｅと、ティシュカートンＴ１，Ｔ２…は、間隔を隔てた状態にある。したがって、ミシン目を付与することに伴って、ティシュカートンＴ１，Ｔ２…を切り付けたり、あるいはその表面の印刷を熱によって変色させてしまったりすることなく、所定のミシン目を形成することができる。
【００３４】
なお本実施例においては、ダイカッター２３としてバキューム付きのものを用いているが、ミシン目形成手段と吸着手段とがそれぞれ別個に設けられていてもよい。また、ミシン目形成手段としては、カット刃を用いることもできるが、包装袋１に対する押圧力が弱いので、ミシン目を確実に形成するためには、熱カット刃を用いるのが好適である。
【００３５】
【発明の効果】
以上の説明から明らかなとおり、本発明によれば、刃物等を用いず、しかも不体裁な引き裂き部分を残すことなく包装袋に収容されているティシュカートンを容易に取り出すことが可能となる。特に、裂開用ミシン目が形成されていない部分を引き広げることなく最上段に収容されているティシュカートンをも、取り出すことができる。
【００３６】
また、ティシュカートン包装袋にミシン目を形成するにあたり、ティシュカートンを傷つけることなく、しかも、収容されるティシュカートンに対して相対的に、所望の位置に確実にミシン目を形成することが可能となる。
【図面の簡単な説明】
【図１】本発明に係る包装袋を示す斜視図である。
【図２】裂開用縦ミシン目を裂開した時のティシュカートンを示す斜視図である。
【図３】裂開用ミシン目を裂開した時のティシュカートンを示す斜視図である。
【図４】最上段のティシュカートンＴ１を取り出した後の包装袋を示す斜視図である。
【図５】他の裂開用ミシン目形成例の正面図である。
【図６】その他の裂開用ミシン目形成例の正面図である。
【図７】さらにその他の裂開用ミシン目形成例の正面図である。
【図８】本発明にかかるミシン目形成装置の概念図である。
【図９】そのダイカッターの平面概念図である。
【図１０】従来の包装袋を示す斜視図である。
【図１１】その他の従来の包装袋を示す斜視図である。
【符号の説明】
１…包装袋、２…把持フィルム、４…摘みフィルム、１１…縦ミシン目、１２…横ミシン目、１３…開封片、２１…コンベアベルト、２２…押さえロール、２３…バキューム付きダイカッター、Ｔ１〜Ｔ５…ティシュカートン。
【図１】
0003695786.tif 000002
【図２】
0003695786.tif 000003
【図３】
0003695786.tif 000004
【図４】
0003695786.tif 000005
【図５】
0003695786.tif 000006
【図６】
0003695786.tif 000007
【図７】
0003695786.tif 000008
【図８】
0003695786.tif 000009
【図９】
0003695786.tif 000010
【図１０】
0003695786.tif 000011
【図１１】
0003695786.tif 000012